(57)【要約】    【課題】  折畳容器の折畳を容易にする。    【解決手段】折畳容器は、略正方形の底面１と側面３ａ〜３ｄを有し、上部に開口４を持つ。４つの側面３ａ〜３ｄは、それらを正面から見たときに同じ位置関係となる対角線を境いにして、内側に向かって２つ折りできるようにされている。また、４つの側面３ａ〜３ｄのうちの対向する２つである側面３ｂ、３ｄには、それらを正面から見たときに同じ位置関係となる、上記対角線と交差する対角線に沿うようにして線状体９が設けられている。２本の線状体９を反対方向に引くと、折畳容器は、底面１に対して開口４を９０°捻りながら折畳まれる。【選択図】  図１
2005314007.tif 000002
【特許請求の範囲】
【請求項１】
略正方形とされている底面と、
前記底面を囲む４つの辺のそれぞれに、その下端の辺が接続されている、略正方形とされた４つの側面と、
を組合わせて、前記４つの側面の上端の辺によって囲まれた前記底面と略対応するようにされた開口を有する箱状に構成されているとともに、
前記側面のそれぞれが、前記側面のそれぞれを正面から見たときに同じ位置関係となる対角線に略沿うようにしながら、内側に向かって曲折できるようにされており、
前記側面のそれぞれを、前記側面を前記対角線で分けることによって作られる２つの略直角三角形のうち前記対角線と前記上端の辺の交点を含むものが有する前記底面に対して垂直な辺を、その垂直な辺をその略直角三角形と共有する側面の底辺である隣接底辺に重ねるようにしながら、内側に向かって曲折させて２つ折りにすることにより、前記開口を、前記底面に対して９０°捻った状態で折畳めるようになっている、折畳容器であって、
前記４つの側面のうちの対向する位置にある任意の２つの側面の前記対角線と交差する対角線の両端に沿うようにされた線状体が設けられており、それらを外側に引くことにより、折畳めるようにされてなる、
折畳容器。
【請求項２】
前記４つの側面は、柔軟な膜材によって形成されているとともに、
前記側面の隣合う側面と隣接する辺には、前記底面の４隅のいずれかに対応させられている、前記底面の４隅のいずれかの上方で上下に延びる、前記側面よりも固くされ、前記側面を自立させる４本の支持材が取付けられており、
且つ、前記４本の支持材は、前記隣接底辺に重ねられるようにされている、
請求項１記載の折畳容器。
【請求項３】
前記支持材は、板状であり、その面状の部分が前記隣接底辺に臨むように、且つ前記側面の隣合う側面と隣接する辺に沿うようにして、前記側面に設けられている、
請求項２記載の折畳容器。
【請求項４】
前記側面には、前記支持材を挿入することのできる袋が設けられており、前記支持材はその袋の中に挿入されることで前記側面に取付けられている、
請求項２又は３に記載の折畳容器。
【請求項５】
前記側面の上端部に沿うようにして、前記側面よりも固くされた前記開口の形状を保つ、開口支持材が設けられている、
請求項２記載の折畳容器。
【請求項６】
前記４つの側面のうちの対向する位置にある少なくとも２つの側面の上端近傍には、紐の両端を前記側面に固定してなる持ち手が、その長さ方向が、その持ち手が取付けられる側面の上端の辺に沿うようにして取付けられている、
請求項１記載の折畳容器。
【請求項７】
前記線状体は、前記４つの側面のすべてに設けられている、
請求項１記載の折畳容器。
【発明の詳細な説明】
【技術分野】
【０００１】
本発明は、可燃ごみ・空き缶・空き瓶・草木屑といった廃棄物又はリサイクル資源物の回収や搬送、土木工事における土砂の搬送、工場内外での各種原料・資材・製品の搬送、魚介類の水揚げ、農作物の収穫や搬送などさまざまな用途に利用することのできる容器であって、折畳むことのできる折畳容器に関する。
【背景技術】
【０００２】
従来、廃棄物又はリサイクル資源物の回収などの用途で、容器が用いられている。容器は、不使用時における利便性を考慮して、折畳み可能な折畳容器とされていることが多い。
折畳容器の構成には様々なバリエーションがあるが、例えば、本願出願人が、特許第２７８２５００号を取得した、以下のようなものが知られている。
この出願に係る折畳容器は、略正方形とされている底面と、この底面を囲む４つの辺のそれぞれに、その下端の辺が接続されている、略正方形とされた４つの側面と、を組合わせてなり、４つの側面の上端の辺によって囲まれた略正方形とされた開口を有する箱状に構成された容器である。
そして、この容器は、側面のそれぞれが、側面のそれぞれを正面から見たときに同じ位置関係となる対角線に略沿うようにしながら、内側に向かって曲折できるようにされている。このような容器は、４つの側面のそれぞれを、各側面を対角線で分けることによって作られる２つの略直角三角形のうちその対角線と上端の辺の交点を含むものが有する底面に対して垂直な辺を、その垂直な辺をその略直角三角形と共有する側面の底辺である隣接底辺に重ねるようにしながら、内側に向かって曲折させて２つ折りにすることにより、開口を、底面に対して９０°捻った状態で折畳めるようになっている。
【０００３】
このような折畳容器は、折畳容器の底面の大きさに折畳みできるものであり、且つその折畳、及び組立てが簡単なので、非常に利用価値が高い。
しかしながら、この折畳容器は、その折畳の際に、開口を底面に対して捻りながら底面に向かって押し下げるという作業を行わなければならないので、折畳に若干の手間がかかる。
【発明の開示】
【発明が解決しようとする課題】
【０００４】
本願発明は、上述のような折畳容器を、より簡単に折畳めるように改良することをその課題とする。
【課題を解決するための手段】
【０００５】
上記課題を解決する本発明に係る折畳容器は、略正方形とされている底面と、前記底面を囲む４つの辺のそれぞれにその下端の辺が接続されている略正方形とされた４つの側面とを組合わせて、前記４つの側面の上端の辺によって囲まれた前記底面と略対応するようにされた開口を有する箱状に構成されているとともに、前記側面のそれぞれが、前記側面のそれぞれを正面から見たときに同じ位置関係となる対角線に略沿うようにしながら、内側に向かって曲折できるようにされており、前記側面のそれぞれを、前記側面を前記対角線で分けることによって作られる２つの略直角三角形のうち前記対角線と前記上端の辺の交点を含むものが有する前記底面に対して垂直な辺を、その垂直な辺をその略直角三角形と共有する側面の底辺である隣接底辺に重ねるようにしながら、内側に向かって曲折させて２つ折りにすることにより、前記開口を、前記底面に対して９０°捻った状態で折畳めるようにされてなるものである。
この折畳容器は、前記４つの側面のうちの対向する位置にある任意の２つの側面の、前記対角線と交差する対角線の両端に沿うようにされた線状体が設けられており、それらを外側に引くことにより、折畳めるようにされてなる。
なお、線状体としては、例えば、ロープや、布製のテープを用いることができる。
【０００６】
この折畳容器では、２本の線状体のそれぞれの例えば略中央を、折畳容器の外側に引っ張ると、線状体の両端が引き寄せられるので、線状体の上端が固定された（或いは線状体の上端が固定された位置の近傍にある）頂点が、線状体の下端が固定された（或いは線状体の下端が固定された位置の近傍にある）頂点に向かって引寄せられることになる。これにより、この折畳容器は、線状体を折畳容器の外側に引くだけで、その開口が９０°捻られつつ押し下げられて、底面に重ねられることになる。
したがって、この折畳容器は、開口を底面に対して捻りながら底面に向かって押し下げるという作業が必要だった従来の折畳容器よりも、使用状態（折畳容器が箱状の形状となっている状態）からより簡単に折畳めるようなものとなる。
線状体の両端は、線状体が外側に引かれた場合に互いに近づけられる必要のある２つの頂点のそれぞれに、或いはそれら２つの頂点のそれぞれの近傍に固定されるのが通常である。より詳細には、線状体の両端は、例えば、その線状体が沿う対角線を含む側面における、その対角線の両端部分に位置する頂点に固定することができ、或いはそれら頂点からその側面の内側に多少寄ったそれら頂点から近傍といえる範囲に固定することができる。線状体の両端は、線状体が外側に引かれた場合に互いに近づけられる必要のある２つの頂点が、線状体が外側に引かれた場合に互いに近づけられるようになっているのであれば、その線状体が沿う対角線を含む側面を囲むいずれかの辺上に固定されていてもよいし、また、その辺を超えて、隣接する側面、或いは、底面に固定されていても構わない。
なお、線状体は、使用状態にある折畳容器の側面に固定された状態で多少の弛みがあってもよいし、弛みがなくてもよい。
また、線状体の側面への固定は、その端部を前記２つの頂点又はその近傍に縫製や接着することなどによって行うことができる。また、線状体の側面への固定は、ベロクロテープを用いたり、シャックルを用いたりすることにより、着脱自在なものとすることができる。
線状体は、また、４つの側面のうちの対向する位置にある任意の２つの側面に設けられていれば足りるが、４つの側面のすべてに設けられていても構わない。
なお、折畳容器の底面、４つの側面、及び開口は、上述したようにいずれも略正方形とされている。これらは、完全な正方形でもよいが、そうでなくてもよい。折畳容器を上述したように実質的に折畳むことができる範囲で、折畳容器の底面、４つの側面、及び開口を、矩形などの完全な正方形以外の形状にすることができる。
【０００７】
この発明における折畳容器の側面は、上述したように、その側面を分ける対角線の部分で、内側に向かって２つ折りにできるようにされている。開口を底面に対して捻りながら底面に向かって近づけられるようにされていれば、側面は、固い素材で作られていてもよいし、柔軟な素材で作られていてもよい。
前者の場合、各側面は、対角線で２つの略直角三角形の部材に分けられ、対角線の部分で曲折可能にするために、例えばヒンジ接続等されることになる。
後者の場合、各側面はどの部分でも自由に折り曲げられるので、当然に対角線に沿って折り曲げることができる。後者の場合、前記４つの側面は、柔軟な膜材によって形成されているとともに、前記側面の隣合う側面と隣接する辺には、前記底面の４隅のいずれかに対応させられている、前記底面の４隅のいずれかの上方で上下に延びる、前記側面よりも固くされ、前記側面を自立させる４本の支持材が取付けられており、且つ、前記４本の支持材は、前記隣接底辺に重ねられるようにされているものとすることができる。
なお、柔軟な膜材は、織物、織物に樹脂やゴムをコーティングしたものなどを用いることができる。膜材は、複数の素材により構成されていてもよい。織物は、透明、半透明、メッシュ状などの、折畳容器の内部を見ることのできるようなものとすることもできる。
【０００８】
支持材は、膜材を支持するに役立つものであり、また、隣接底辺に重ねられるようにされていれば、その具体的な構成を問わない。例えば、支持材は、棒状、或いは板状の部材とすることができる。板状の部材である場合、支持材は、その面状の部分の形状を問わない。例えば、支持材の面状の部分の形状は、細長い矩形にすることができる。支持材の上下方向の長さは、隣合う側面が隣接し合う辺の長さと略同じにすることができるが、それよりも短い長さであっても構わない。支持材の素材は、例えば、樹脂、ＦＲＰ、ゴム、金属、木などのある程度の剛性を有するものを用いることができる。支持材は、底面に接続されていてもよいし、接続されていなくてもよい。後者の場合、支持材は、例えば、側面を構成する膜材に固定される。
支持材の側面への固定は、どのように行ってもよい。例えば、接着、溶着をその固定のために用いることもできる。また、前記側面に、例えば板状の支持材を挿入することのできる袋を設けておき、その袋の中に挿入することで、支持材を側面に取付けることもできる。
前記支持材は、隣合う側面を跨ぐようにされていてもよい。上述の袋を用いる場合であれば、その袋が隣合う側面を跨ぐようにされていてもよい。なお、支持材又は袋が、隣合う側面を跨ぐようにされている場合には、隣合う側面の隣接しあう辺の双方に支持材又は袋が接続されている場合も含まれる。
支持材は、隣合う側面を跨がないようにして、隣合う側面のうちの一方に設けられていてもよい。この場合、支持材は、側面が有する辺のうちの、隣合う側面と隣接する辺に沿うようにして設けられていてもよい。例えば、前記支持材は、板状であり、その面状の部分が前記隣接底辺に臨むように、且つ前記側面の隣合う側面と隣接する辺に沿うようにして、前記側面に設けられていてもよい。支持材をこのようなものとした場合には、次のような利点がある。即ち、板状の支持材は、特にその下端が底面に当接している場合を考えると、その厚さ方向に倒すことは容易であるが、その幅方向に倒すことは難しい。したがって、板状の支持材を、その支持材が設けられる側面に隣接する側面の隣接底辺にその面状の部分が臨むようにして設けると、支持材の倒れ込む方向を隣接底辺に向かうように規制できる。これにより、折畳容器を、その開口を底面に向かって９０°回転させながら折畳むことが容易になる。
【０００９】
前記側面の上端部に沿うようにして、前記側面よりも固くされた前記開口の形状を保つ、開口支持材を設けることもできる。開口支持材は、必ずしも全ての側面に設ける必要はない。
開口支持材を設けることによって、開口の周囲の膜材の柔軟性が小さくなり、開口状態を安定的に維持させることができるようになる。
【００１０】
さらに、前記４つの側面のうちの対向する位置にある任意の２つの側面の上端近傍には、紐の両端を前記側面に固定してなる持ち手が、その長さ方向が、その持ち手が取付けられる側面の上端の辺に沿うようにして取付けられていてもよい。持ち手は、すべての側面の上端近傍に設けられていてもよい。
【００１１】
この持ち手を使用した場合には、持ち手を折畳容器の外側に引っ張るだけで、折畳容器を簡単に使用状態の形状にできることになる。
なお、この場合の紐は、断面が円形、楕円形等のロープ状のものでもよく、或いは断面が矩形のテープ状のものであってもよい。
【発明を実施するための最良の形態】
【００１２】
以下、本発明の好ましい一実施形態を、図面を参照しながら説明する。
【００１３】
図１に、使用状態の折畳容器の斜視図を示す。
【００１４】
この実施形態における折畳容器は、底面１を備えている。底面１は、この実施形態では、正方形とされている。底面１の各辺２ａ〜２ｄには、この実施形態では正方形とされた４つの側面３ａ〜３ｄが接続されている。この実施形態における折畳容器は、底面１と側面３ａ〜３ｄを組合わせることにより、立方体形状とされている。また、折畳容器の底面１と対向する部分には、底面１と同一の大きさとされた開口４が形成されている。
また、この実施形態による折畳容器は、必ずしも必要ではないが、蓋５を備えている。蓋５は、開口４を覆うためのものである。この実施形態における蓋５は、正方形とされた蓋本体５ａと、横長の矩形とされた折り返し部５ｂとを備えている。
蓋本体５ａは、開口４の形状に対応した形状とされている。蓋本体５ａの基端は、この実施形態では、側面３ｃの上端に、開口４に対して開閉できるように固定されている。折り返し部５ｂは、蓋本体５ａに対して折り曲げられるようにして、蓋本体５ａの先端に取付けられている。折り返し部５ｂは、蓋本体５ａを開口４に被せたときに蓋本体５ａに対して折り曲げられ、側面３ａの上端の部分を一定幅で覆うようになっている。折り返し部５ｂの側面３ａと当接する部分には、側面３ａとの着脱自在な固定をなすための固定部材５ｃが設けられている。この固定部材５ｃは、これには限られないが、この実施形態では、ベロクロテープである。折り返し部５ｂには、また、必ずしも必要ではないが、取っ手５ｄが設けられている。この取っ手５ｄは、テープ状の部材を２つ折にして、２重にしたその基端を折り返し部５ｂに縫い付けることによって折り返し部５ｂの先端に固定されている。
【００１５】
この実施形態では、上述の、底面１、及び側面３ａ〜３ｄは、柔軟な膜材で形成されている。より詳細には、底面１、及び側面３ａ〜３ｄは、樹脂製であり、柔軟性を有するメッシュ状の膜材によって形成されている。蓋本体５ａと、折り返し部５ｂはともに、これには限られないが、底面１、側面３ａ〜３ｄと同じ膜材によって形成されている。
【００１６】
側面３ａ〜３ｄには、それぞれ、支持材６が取付けられている。支持材６は、使用状態にある折畳容器の側面３ａ〜３ｄの形状を維持するためのものである。支持材６は、側面３ａ〜３ｄに用いた膜材よりも柔軟性の小さい樹脂により形成された、板状の部材である。なお、支持材６は、金属や、木材によって形成することもできる。
この実施形態における支持材６は、各側面３ａ〜３ｄを正面から見た場合に、その左端の上端から下端の全長にわたるようにして、側面３ａ〜３ｄに取付けられている。支持材６の側面３ａ〜３ｄに対する固定は、どのような方法により行ってもよいが、この実施形態では、支持材６は、図２（ａ）に示したような固定袋６ｘを用いて、側面３ａ〜３ｄに取付けられている。なお、支持材６の上端部分は、先端部分の角度が４５°となるようにして、後述する開口支持材と近接する部分が斜辺になるようにして切取られている。
固定袋６ｘは、各側面３ａ〜３ｄを正面から見た場合に同じ側になる辺に沿って、その辺の略全長にわたるようにして設けられた、支持材６と略同じ幅とされた、底の有る袋である。この実施形態における固定袋６ｘは、各側面３ａ〜３ｄを正面から見た場合に左端に位置するようにして設けられている。固定袋６ｘは、この実施形態では、各側面３ａ〜３ｄを形成する際に使用されたのと同じ膜材によって作られている。言い換えれば、固定袋６ｘがある部分では、側面３ａ〜３ｄを構成する膜材が２重になっている。この固定袋６ｘの内部に、挿入することで、支持材６は、側面３ａ〜３ｄのそれぞれに固定されている。なお、この状態における支持材６の上端部分にある上述の斜辺は、固定袋６ｘの上端から食み出している。
このようにして各側面３ａ〜３ｄに固定された支持材６のそれぞれは、側面３ａに設けられた支持材６は、側面３ｂの底辺２ｂに、側面３ｂに設けられた支持材６は、側面３ｃの底辺２ｃに、側面３ｃに設けられた支持材６は、側面３ｄの底辺２ｄに、側面３ｄに設けられた支持材６は、側面３ａの底辺２ａに、重ね合わせられるようになっている。
つまり、平面視した場合、各側面３ａ、３ｂ、３ｃ、３ｄに設けられた支持材６は、時計回り方向に倒れて、隣接する側面３ｂ、３ｃ、３ｄ、３ａの底辺２ｂ、２ｃ、２ｄ、２ａに重ね合わせられるようになっている。もちろん、支持材６が反時計回りに倒れるようにすることも可能である。
なお、支持材６は、例えば、断面が円形、楕円、多角形等の棒状の部材とすることができる。この場合、固定袋６ｘの断面形状は、支持材６の断面形状と対応したものとすることができる。
また、固定袋６ｘは、図２（ａ）に示した取付位置の他、図２（ｂ）に示した取付位置に、或いは図２（ｃ）に示した取付位置に、取付けることができる。図２（ｂ）に示した固定袋６ｘは、側面３ａ、３ｂ、３ｃ、３ｄのうちの隣接するものを跨ぐようにされており、図２（ｃ）に示した固定袋６ｘは、側面３ａ、３ｂ、３ｃ、３ｄのうちの隣接するもの同士を接続するようにされている。なお、図２（ｂ）、図２（ｃ）に示した固定袋６ｘは、図２（ａ）に示したものとはその断面形状を異ならせてあり、断面円形の支持材６を挿入するのに都合のよい断面形状とされている。
各側面３ａ、３ｂ、３ｃ、３ｄの上端部分には、開口支持材７が取付けられている。開口支持材７は、この実施形態では、必ずしもそうする必要はないが、支持材６と同じ樹脂で形成され、板状であり、且つ支持材６と同幅にされている。また、開口支持材７の支持材６に近接する部分は、支持材６の斜辺とその斜辺が対応するようにして、その部分の先端の角度が４５°となるようにして切取られている。
開口支持材７の側面３ａ〜３ｄへの取付け方は、どのようなものでも構わないが、この実施形態では、開口固定袋７ｘを用いて、開口支持材７の側面３ａ〜３ｄへの取付がなされている。開口固定袋７ｘは、簡単にいうと、固定袋６ｘを横方向に配したものであり、この実施形態では、図３に示すように、開口支持材７の形状に対応した形状とされている。図３では、開口固定袋７ｘの存在する部分と、固定袋６ｘの存在する部分を網掛けで示している。開口固定袋７ｘに挿入されることで、開口支持材７は、各側面３ａ〜３ｄに取付けられている。
側面３ａ〜３ｄのうち対向する位置にある側面３ｂと側面３ｄの上端には、より詳細には、開口支持材７が挿入された開口固定袋７ｘの外側には、柔軟性を有するテープ材からなる持ち手８が取付けられている。この持ち手８は、その長さ方向を、開口支持材７の長さ方向に沿わせるように取付けられている。持ち手８は、その面状部分の両端が開口支持材７に面するようにして取付けられている。なお、持ち手８は、側面３ｂ、３ｄに加えて、側面３ａ、３ｃにも設けられていても構わない。また、側面３ａにある開口支持材７には、上述した固定部材５ｃと着脱自在に固定しあう、この実施形態では、ベロクロテープである固定部材７ｃが設けられている。
【００１７】
側面３のうちの対向する二つの側面３ｂ、３ｄには、その一端を支持材６の下端に対応する部分に、その他端を開口支持材７の支持材６から遠い方の端部に対応する部分にそれぞれ固定された、線状体９が設けられている。線状体９は、側面３ｂ、３ｄの対角線に沿うように、且つ側面３ｂ、３ｄを正面から見たときにその位置関係が同じとなるようにして設けられている。
線状体９の両端は、この実施形態では、側面３ｂ、３ｄにおける上述のような部分に固定されているが、支持材６の下端に近接する頂点と、開口支持材７の支持材６から遠い方の端部に近接する頂点に正確に固定されているわけではない。この実施形態における線状体９の両端は、上述の２つの頂点から、側面３ｂ、３ｄのやや中心に寄った部分に固定されている。もっとも、線状体９の両端は、上述の２つの頂点に固定されていてもよい。或いは、線状体９の両端は、上述の２つの頂点の近傍であれば、側面３ｂ、３ｄの所定の辺上、或いは側面３ｂ、３ｄ以外の他の側面３ａ、３ｃ、又は底面１に固定されていてもよい。
線状体９は、この実施形態では、これには限られないが、柔軟な布製のテープ状の部材により形成されているが、ロープにより形成されていても構わない。
線状体９の両端は、側面３ｂ、３ｄに対して、着脱自在にすることも可能であるが、この実施形態では、側面３ｂ、３ｄに対して固定されている。
なお、線状体９は、側面３ｂ、３ｄに加えて、側面３ａ、３ｃにも設けられていても構わない。
【００１８】
次にこの折畳容器の使用方法について説明する。
使用状態にある折畳容器は、図１に示したような状態である。折畳容器の内部には、廃棄物などの所望の物を入れることができる。
蓋５は必要に応じて、開口４に被せる。蓋５を開口４に被せたときには、固定部材５ｃと固定部材７ｃを固定することができる。蓋５を開ける場合には、取っ手５ｄを引けばよい。
【００１９】
折畳容器を使用しない場合など、折畳容器を折畳む場合には、蓋５を閉めた状態で、線状体９を、その中心が、それが取付けられた側面３ｂ、３ｄから遠ざかるようにして引けばよい。それだけで、折畳容器は折畳まれる。
折畳容器が折畳まれる様を、図４を用いて説明する。
側面３ｂ、３ｄに取付けた線状体９の略中央部分を折畳容器の外側に向かって引くと、線状体９の両端が近づく。つまり、側面３ｂ、３ｄにおいて、開口支持材７の支持材６から遠い側の端部が、支持材６の下端に近づいてくる。
側面３ｂにおいて、開口支持材７の支持材６から遠い側の端部が、支持材６の下端に近づいてくると、側面３ａに設けられた支持材６は倒れ込み、側面３ｂの底辺２ｂに重なる。側面３ｄにおいて、開口支持材７の支持材６から遠い側の端部が、支持材６の下端に近づいてくると、側面３ｃに設けられた支持材６は倒れ込み、側面３ｄの底辺２ｄに重なる。これらと同時に、側面３ｂに設けられた支持材６は、側面３ｃの底辺２ｃに、側面３ｄに設けられた支持材６は、側面３ａの底辺２ａに、それぞれ重なる。
また、各支持材６が倒れ込むとき、柔軟な素材により形成された各側面３ａ〜３ｄは、自動的に２つ折になる。側面３ｂ、３ｄは、線状体９が張られていた対角線と交わる対角線に沿って２つ折りになる。また、側面３ａ、３ｃはそれらを正面から見た場合における折り目が、側面３ｂ、３ｄにおける折り目と同じになるように２つ折りになる。各側面３ａ〜３ｄが２つ折りになるとき、各側面３ａ〜３ｄの折り目は、支持材６の上述する斜面と、開口支持材７の上述する斜面との間に位置する間隙と一致するので、支持材６及び開口支持材７が、側面３ａ〜３ｄを２つ折りする際に邪魔になることがない。
それにより、図１の状態（但し、蓋５は、閉まっているものとする。）から、図４（ａ）の状態を経て、折畳容器は、図４（ｂ）の状態となる。図４（ｂ）の状態は、折畳容器が完全に折畳まれ、平板状になった状態を示している。
このとき、折畳容器の開口４は、底面に対して９０°、平面視で時計回りに捻られた状態となっている。
【００２０】
折畳容器を使用状態に戻す場合には、２つの持ち手８を同時に掴み、それらを、反対方向に引けばよい。
そうすることにより、折畳容器は、折畳容器を折畳む上述の過程と反対の過程を辿り、折畳時とは逆方向に９０°捻り戻されながら底面に対して垂直に起き上がって、図１で示した形状となる。
【図面の簡単な説明】
【００２１】
【図１】本発明の一実施形態による折畳容器の斜視図。
【図２】図１に示した折畳容器の中央付近の水平断面図。
【図３】図１に示した折畳容器の側面の上端部分を正面から見た状態を示す図。
【図４】図１に示した折畳容器の折畳まれる状態を示す斜視図。
【符号の説明】
【００２２】
１  底面
２ａ〜２ｄ  底辺
３ａ〜３ｄ  側面
４  開口
５  蓋
６  支持材
９  線状体
【図１】
2005314007.tif 000003
【図２】
2005314007.tif 000004
【図３】
2005314007.tif 000005
【図４】
2005314007.tif 000006
【手続補正書】
【提出日】平成17年6月28日(2005.6.28)
【手続補正１】
【補正対象書類名】図面
【補正対象項目名】図２
【補正方法】変更
【補正の内容】
【図２】
2005314007.tif 000007